(57)【要約】      （修正有）【課題】１つのポールをポールが差せる土の地面の上にも、ポールが差せないコンクリート等の上にも設置できるようにする照明用ポールの支持装置を提供する。【解決手段】ポール３の下部を強固に支持出来る様に照明用ポールの支持装置１を形成する。照明用ポールの支持装置は、その上端から下端に貫通した上端側の直径が下端側の直径よりも大きい略円錐台形状の孔であるポールを差し込む筒部を有する。コンクリート製若しくはコンクリートよりも大きな比重の物質製として、全体の重心を低位置にする。略円錐台形状の孔の傾き及び下端の直径を所定の値として、殆ど全ての照明具４を安定して支持することができる。【選択図】図２
0003171962.tif 000002
【実用新案登録請求の範囲】
【請求項１】
平面の上に設置され、ポールの先端が該平面よりも上に配置された状態で照明用ポールを支持する、先端が鋭角のポール下部を支持する照明用ポールの支持装置であって、
前記ポールを差し込む筒部を有し、
前記筒部は前記支持装置の上端から下端に貫通した、上端側の直径が下端側の直径よりも大きい略円錐台形状又は略円錐形状の孔であることを特徴とする、照明用ポールの支持装置。
【請求項２】
コンクリート製若しくはコンクリートよりも大きな比重の物質製であり、
１，０００ｃｍ３以上の体積を有し、
１０ｃｍ〜３０ｃｍの高さであることを特徴とする、請求項１に記載の照明用ポールの支持装置。
【請求項３】
前記孔は略円錐台形状であり、その下端側の直径が５ｍｍ以上であることを特徴とする、請求項１又は２に記載の照明用ポールの支持装置。
【考案の詳細な説明】
【技術分野】
【０００１】
本考案は、地面に差すために先端が鋭角となっている照明用ポールを支持し、コンクリートその他ポールを差すことのできない場所に照明を設置するための、照明用ポールの支持装置に関するものである。
【背景技術】
【０００２】
照明用ポールは、上部に取り付けられる照明具の重量によって転倒してしまうことのないよう、下部を強固に支持する必要がある。ポールを地面に差すことなく支持する装置（特許文献１）や、ポールの先端に地面に差すための部分を付加して支持する装置（特許文献２）等、多くの支持装置が開示されている。
【０００３】
照明具を販売する者や、使用する者にとっては、同じ照明具をポールが差せる土の地面の上にも、ポールが差せないコンクリート等の上にも設置できることが好ましい。照明具はポールとのセットで販売されるので、１種類のポールによって地面の上にもコンクリート等のポールを差すことのできない場所にも設置できるものであることが好ましい。
また、地面に差すことを前提とした照明具は、販売店（屋内）において地面に差さずに展示することで売上の向上が期待される。
しかし、１つのポールをポールが差せる土の地面の上にも、ポールが差せないコンクリート等の上にも設置できるようにする装置は開示されていなかった。
【先行技術文献】
【特許文献】
【０００４】
【特許文献１】特開平０５−０８９７０４号公報
【特許文献２】特開平０８−２１８６８４号公報
【考案の概要】
【考案が解決しようとする課題】
【０００５】
解決しようとする問題点は、１つのポールをポールが差せる土の地面の上にも、ポールが差せないコンクリート等の上にも設置できるようにする照明用ポールの支持装置を提供することである。
【課題を解決するための手段】
【０００６】
本考案の照明用ポールの支持装置は、
平面の上に設置され、前記ポールの先端が該平面よりも上に配置された状態で照明用ポールを支持する、先端が鋭角のポール下部を支持する照明用ポールの支持装置であって、
前記ポールを差し込む筒部を有し、
前記筒部は前記支持装置の上端から下端に貫通した、上端側の直径が下端側の直径よりも大きい略円錐台形状又は略円錐形状の孔であることを特徴とする。
照明用ポールの支持装置をコンクリート面、床面等の平面の上に置き、筒部に先端が鋭角のポール下部を差し込んで支持する。筒部は上端側の直径が下端側の直径よりも大きい略円錐台形状又は略円錐形状の孔であり、ポール下部の種々の形状に対応することができる。
【０００７】
本考案の照明用ポールの支持装置は、
コンクリート製若しくはコンクリートよりも大きな比重の物質製であり、
１，０００ｃｍ３以上の体積を有し、
１０ｃｍ〜３０ｃｍの高さであることを特徴とする。
照明用ポールの支持装置に照明具を差した状態で、安定することが重要である。コンクリート製若しくはコンクリートよりも大きな比重の物質製であり、１，０００ｃｍ３以上の体積を有するような照明用ポールの支持装置であれば、照明具に対して十分に重く、照明具と照明用ポールの支持装置の全体の重心が低位置になる。照明用ポールの支持装置の高さを３０ｃｍ以下とすることで、重心を地面に近い低位置とする。
照明用ポールを安定して支持するために、筒部の長さは１０ｃｍ以上であることが好ましい。
【０００８】
本考案の照明用ポールの支持装置は、
前記孔は略円錐台形状であり、その下端側の直径が５ｍｍ以上であることを特徴とする、
雨が降った場合などに、孔部には水が入る。この水を効率的に排出するため、下端側の直径が５ｍｍ以上であることが好ましい。
【考案の効果】
【０００９】
本考案の照明用ポールの支持装置によれば、地面に差して支持するポールをコンクリート等のポールを差すことのできない場所においても支持することができる。同じ照明具を地面の上にも、コンクリート等のポールを差すことのできない場所にも設置できる。
【図面の簡単な説明】
【００１０】
【図１】図１は、照明用ポールの支持装置を示す図である。
【図２】図２は、照明用ポールの支持装置の使用状態を示す図である。
【図３】図３は、筒部のサイズを示す図である。
【図４】図４は、筒部とポールとの関係を示す断面図である。
【図５】図５は、照明用ポールの支持装置の意匠の例を示す図である。
【考案を実施するための形態】
【００１１】
以下、実施例において具体的な形状及びサイズを例示する。
【実施例１】
【００１２】
図１は、照明用ポールの支持装置を示す図である。照明用ポールの支持装置１はコンクリート製であり、立方体状である。その中央に筒部２が設けられている。なお、図に示されたレンガ状の模様は、照明用ポールの支持装置１の美観を高めるための意匠であり、本考案とは無関係である。
図２は、照明用ポールの支持装置の使用状態を示す図である。ポール３を筒部２に差して使用する。照明具４に比して、コンクリート製の照明用ポールの支持装置１は十分に重く、照明具４と照明用ポールの支持装置１の全体の重心は低位置になる。
【００１３】
図３は、筒部のサイズを示す図である。図は断面図であり、筒部２は円錐台状である。上端の直径ｕは３５ｍｍ、下端の直径ｖは１５ｍｍである。また、立方体状の照明用ポールの支持装置１の高さ（立方体の１辺の長さ）ｈは１５０ｍｍである。
下端の直径ｖが１５ｍｍであるので、筒部２に水が入っても容易に排水できる。
【００１４】
図４は、筒部とポールとの関係を示す図である。
ポール３と筒部２との直径の大小関係及びポール３の先端部と筒部２の形状の尖鋭度の関係により、図（ａ）、（ｂ）又は（ｃ）のようにポール３が支持される。
図（ｂ）の場合には、ポール３と筒部２との間には空隙があることになる。しかし、空隙は数ｍｍ程度であり、ポール３は空隙の分の遊びを持って安定して支持される。更に、土、砂、小砂利、セメント等を充填して空隙を埋め、より安定して保持することもできる。この際、土、砂又は小砂利を充填すれば、筒部からの排水に支障がない。なお、筒部２に土、砂、小砂利、セメント等を充填してポール３を安定させることは、図（ａ）及び（ｃ）の場合にも可能である。
【００１５】
図５は、照明用ポールの支持装置の意匠の例を示す図である。コンクリート製でも、このようなレンガ模様の意匠とすることが可能である。
【産業上の利用可能性】
【００１６】
同じ照明具を地面の上にも、コンクリート等のポールを差すことのできない場所にも設置できるようにする照明用ポールの支持装置であり、多くの照明具生産者、家庭による活用が考えられる。
【符号の説明】
【００１７】
１  照明用ポールの支持装置
２  筒部
３  ポール
４  照明具
【図１】
0003171962.tif 000003
【図２】
0003171962.tif 000004
【図３】
0003171962.tif 000005
【図４】
0003171962.tif 000006
【図５】
0003171962.tif 000007